(57)【要約】【課題】ＰＤＰの高精細化に伴う放電電圧の上昇と輝度低下を防止する。【解決手段】前面ガラス基板１の内面側に列方向に交互に配置された行電極Ｘ１とＹ１が、バス電極Ｘ１ａ，Ｙ１ａとこのバス電極Ｘ１ａ，Ｙ１ａから列方向の一方の側と他方の側に交互に突出する複数の透明電極Ｘ１ｂ１，Ｘ１ｂ２，Ｙ１ｂ１，Ｙ１ｂ２を備え、放電セルＣ１とＣ２が、行方向に沿って互いに列方向にずれた状態で交互に配置され、隔壁６が放電セルＣ１，Ｃ２を菱形に区画する略菱クロス格子形状を有し、放電ギャップが、それぞれ菱形の放電セルＣ１，Ｃ２の列方向における中央部分に対向されている。【選択図】図１
2008147131.tif 000002
【特許請求の範囲】
【請求項１】
放電空間を介して対向される一対の基板の間に、行方向に延びる行電極と、列方向に延びて行電極とともに放電空間にそれぞれ単位発光領域を形成する列電極と、放電空間を各単位発光領域毎に区画する隔壁が配置されたプラズマディスプレイパネルにおいて、
前記行電極が、一対の基板のうちの一方の基板の内面側に列方向に交互に配置された第１行電極と第２行電極を有し、
この第１行電極と第２行電極が、それぞれ、行方向に延びる電極本体部とこの電極本体部の行方向に沿って等間隔位置から列方向の一方の側と他方の側に交互に突出する複数の電極突出部を備えていて、第１行電極の電極本体部から一方の側に突出する電極突出部と第２行電極の電極本体部から他方の側に突出する電極突出部とがそれぞれ第１放電ギャップを介して対向して対になっており、第１行電極の電極本体部から他方の側に突出する電極突出部と第２行電極の電極本体部から一方の側に突出する電極突出部とがそれぞれ第２放電ギャップを介して対向して対になっており、
前記単位発光領域が、第１放電ギャップを介して対向する一対の電極突出部に対向する部分の放電空間と第２放電ギャップを介して対向する一対の電極突出部に対向する部分の放電空間にそれぞれ形成されて、この第１放電ギャップに対向する単位発光領域と第２放電ギャップに対向する単位発光領域が行方向に沿って互いに列方向にずれた状態で交互に配置され、
前記隔壁が、各単位発光領域を列方向における中央部分の行方向の幅が両端部分の行方向の幅よりも大きい形状に区画する略格子状の形状を有し、
前記第１放電ギャップと第２放電ギャップが、それぞれ、単位発光領域の列方向における中央部分に対向されている、
ことを特徴とするプラズマディスプレイパネル。
【請求項２】
前記隔壁が、列方向に対して時計回り方向に所要の角度傾斜した第１斜行壁と反時計回り方向に所要の角度傾斜した第２斜行壁が互いに交差する菱クロス状の格子形状を有していて、この隔壁によって、単位発光領域が菱形に区画されている請求項１に記載のプラズマディスプレイパネル。
【請求項３】
前記隔壁によって、単位発光領域が楕円形に区画されている請求項１に記載のプラズマディスプレイパネル。
【請求項４】
前記隔壁によって、単位発光領域が六角形に区画されている請求項１に記載のプラズマディスプレイパネル。
【請求項５】
前記第１行電極の電極突出部と第２行電極の電極突出部が、それぞれ、略方形形状に成形されている請求項１に記載のプラズマディスプレイパネル。
【請求項６】
前記第１行電極の電極突出部と第２行電極の電極突出部が、それぞれ、対になっている他方の電極突出部に対向する先端部側の行方向の幅が電極本体部に接続される脚部側の行方向の幅よりも大きい略台形形状に成形されている請求項１に記載のプラズマディスプレイパネル。
【請求項７】
前記第１行電極の電極突出部と第２行電極の電極突出部が、それぞれ、行方向に帯状に延びて対になっている他方の電極突出部に対向する幅広の先端部分と、この先端部分を電極本体部に接続し行方向の幅が先端部分の行方向の幅よりも小さい幅狭の脚部とを有する略Ｔ字形状に成形されている請求項１に記載のプラズマディスプレイパネル。
【請求項８】
前記第１行電極の電極本体部と第２行電極の電極本体部が、それぞれ、行方向に沿って波状に蛇行ずる形状の成形されて、互いの山の部分と谷の部分が対向されて両者の間に列方向の間隔が広い部分と狭い部分が行方向に交互に位置するように配置され、この電極本体部の間隔が広い部分に対向する位置に単位発光領域がそれぞれ形成されている請求項１に記載のプラズマディスプレイパネル。
【請求項９】
前記第１放電ギャップに対向する単位発光領域と第２放電ギャップに対向する単位発光領域が行方向に沿って互いに列方向に略半ピッチずつずれた状態で交互に配置されている請求項１に記載のプラズマディスプレイパネル。
【請求項１０】
前記第１放電ギャップに対向する単位発光領域と第２放電ギャップに対向する単位発光領域のうち、三角状に位置する三つの単位発光領域によって一画素が構成され、この一画素を構成する三個の単位発光領域内に赤，緑，青の三原色に色分けされた蛍光体層が形成されている請求項１に記載のプラズマディスプレイパネル。
【請求項１１】
前記第１放電ギャップに対向する単位発光領域と第２放電ギャップに対向する単位発光領域の列方向における両端部が、第１行電極の電極本体部と第２行電極の電極本体部に対して、単位発光領域に対向しているそれぞれの電極突出部と反対側方向に張り出している請求項１に記載のプラズマディスプレイパネル。
【請求項１２】
前記一方の基板の内面側に第１行電極および第２行電極を被覆する誘電体層が形成され、この誘電体層の第１行電極と第２行電極の電極本体部にそれぞれ対向する位置に、他方の基板側に突出するとともに電極本体部に沿って行方向に延びる誘電体凸条部が形成されている請求項１に記載のプラズマディスプレイパネル。
【請求項１３】
前記隔壁が他方の基板側に形成され、誘電体凸条部とこの誘電体凸条部に対向する部分の隔壁との間が閉じられているとともに、誘電体凸条部が形成されていない部分の誘電体層と隔壁との間に隙間が形成されている請求項１２に記載のプラズマディスプレイパネル。
【請求項１４】
前記誘電体凸条部の単位発光領域の列方向における端部部分に対向する部分が、それぞれ、列方向において単位発光領域の中央部側と反対側方向に張り出しているとともに、この誘電体凸条部の張出部分とこの張出部分に対向する部分の隔壁との間が閉じられている請求項１３に記載のプラズマディスプレイパネル。
【請求項１５】
前記第１行電極および第２行電極のそれぞれの電極本体部が、光の反射を防止する光吸収層が前面基板側に配置された二層構造を備えている請求項１に記載のプラズマディスプレイパネル。
【発明の詳細な説明】
【技術分野】
【０００１】
この発明は、プラズマディスプレイパネルの構成に関する。
【背景技術】
【０００２】
従来の面放電方式交流型プラズマディスプレイパネル（以下、ＰＤＰという）には、隣接する表示ライン間において行電極のバス電極を共用することによって、パネルにおける非表示領域の比率を小さくし、その分、各放電セルの開口面積を大きくするようになっているものがある。
【０００３】
このような従来のＰＤＰは、前面ガラス基板の内面側に行方向に延び列方向に並設された複数の行電極が設けられ、背面ガラス基板の前面ガラス基板と放電空間を介して対向する側の面上に列方向に延び行方向に並設された複数の列電極が設けられており、各行電極が、行方向に延びるバス電極と、このバス電極に沿って並設されるとともにバス電極に対して交差するように接続された列方向に延びる複数の透明電極を有し、この行電極の透明電極の一方の端部と隣接する他の行電極の透明電極の一方の端部が所要の間隔を開けて対向され、この互いに一方の端部が所要の間隔を開けて対向されて対となった透明電極に対向する部分の放電空間に、それぞれ放電セルが形成された構成を備えている（例えば、特許文献１参照）。
【０００４】
しかしながら、この従来のＰＤＰの構成では、画面の高精細化に伴う放電セルの行方向の幅の縮小は抑制することが出来ないため、行方向に並ぶ放電セルの数が増加すると、各放電セルの行方向の幅が縮小されるのに伴って、この放電セルに対向するそれぞれの透明電極の行方向の幅が小さくなってしまう。
【０００５】
透明電極の放電セルに対向する部分の面積の大きさは、この透明電極によって発生される各放電の放電開始電圧に関係するため、行方向の幅が小さくなって透明電極の行方向の幅が小さくなると、放電開始電圧が上昇してしまうという問題が発生する。
【０００６】
また、透明電極の面積を大きくするために、透明電極の行方向の幅を放電セルの行方向の幅一杯に設定すると、行方向に隣接する他の放電セルへの放電干渉の問題が発生してくる。
【０００７】
また、ＰＤＰを高精細化してゆくと、放電セル各々の放電空間が減少することにより、放電領域から隔壁側面までの距離が小さくなり、荷電粒子などが隔壁側面でエネルギを消失し、結果として発光効率が低下するという問題が生じる。
【０００８】
【特許文献１】特開２００１−１５５６４５号公報
【発明の開示】
【発明が解決しようとする課題】
【０００９】
この発明は、上記のような従来のＰＤＰにおける問題点を解決することをその解決課題の一つとしている。
【課題を解決するための手段】
【００１０】
この発明（請求項１に記載の発明）によるＰＤＰは、上記課題を達成するために、 放電空間を介して対向される一対の基板の間に、行方向に延びる行電極と、列方向に延びて行電極とともに放電空間にそれぞれ単位発光領域を形成する列電極と、放電空間を各単位発光領域毎に区画する隔壁が配置されたＰＤＰにおいて、前記行電極が、一対の基板のうちの一方の基板の内面側に列方向に交互に配置された第１行電極と第２行電極を有し、この第１行電極と第２行電極が、それぞれ、行方向に延びる電極本体部とこの電極本体部の行方向に沿って等間隔位置から列方向の一方の側と他方の側に交互に突出する複数の電極突出部を備えていて、第１行電極の電極本体部から一方の側に突出する電極突出部と第２行電極の電極本体部から他方の側に突出する電極突出部とがそれぞれ第１放電ギャップを介して対向して対になっており、第１行電極の電極本体部から他方の側に突出する電極突出部と第２行電極の電極本体部から一方の側に突出する電極突出部とがそれぞれ第２放電ギャップを介して対向して対になっており、前記単位発光領域が、第１放電ギャップを介して対向する一対の電極突出部に対向する部分の放電空間と第２放電ギャップを介して対向する一対の電極突出部に対向する部分の放電空間にそれぞれ形成されて、この第１放電ギャップに対向する単位発光領域と第２放電ギャップに対向する単位発光領域が行方向に沿って互いに列方向にずれた状態で交互に配置され、前記隔壁が、各単位発光領域を列方向における中央部分の行方向の幅が両端部分の行方向の幅よりも大きい形状に区画する略格子状の形状を有し、前記第１放電ギャップと第２放電ギャップが、それぞれ、単位発光領域の列方向における中央部分に対向されていることを特徴としている。
【発明を実施するための最良の形態】
【００１１】
この発明は、放電空間を介して前面基板と背面基板が対向され、前面基板の内面側に第１行電極と第２行電極が列方向に交互に配置され、この第１行電極と第２行電極が、それぞれ、行方向に延びる電極本体部とこの電極本体部の行方向に沿って等間隔位置から列方向の一方の側と他方の側に交互に突出する複数の電極突出部を備えていて、第１行電極の電極本体部から一方の側に突出する電極突出部と第２行電極の電極本体部から他方の側に突出する電極突出部とがそれぞれ第１放電ギャップを介して対向して対になっており、第１行電極の電極本体部から他方の側に突出する電極突出部と第２行電極の電極本体部から一方の側に突出する電極突出部とがそれぞれ第２放電ギャップを介して対向して対になっており、放電セルが、第１放電ギャップを介して対向する一対の電極突出部に対向する部分の放電空間と第２放電ギャップを介して対向する一対の電極突出部に対向する部分の放電空間にそれぞれ形成されて、この第１放電ギャップに対向する放電セルと第２放電ギャップに対向する放電セルが行方向に沿って互いに列方向にずれた状態で交互に配置され、前面基板と背面基板内に配置された隔壁が、各放電セルを列方向における中央部分の行方向の幅が両端部分の行方向の幅よりも大きい形状に区画する略格子状の形状を有し、第１放電ギャップと第２放電ギャップが、それぞれ、放電セルの列方向における中央部分に対向されているＰＤＰをその最良の実施形態としている。
【００１２】
この実施形態のＰＤＰは、リセット放電とアドレス放電の終了後、アドレス放電によって選択された放電セル（発光セル）内において、第１行電極と第２行電極の互いに対になっている電極突出部間で第１放電ギャップまたは第２放電ギャップを介してサステイン放電が発生されて、マトリクス表示による画像を形成する。
【００１３】
この実施形態のＰＤＰによれば、各放電セルが、隔壁によって、列方向における中央部分の行方向の幅が両端部分の行方向の幅よりも大きい形状に区画され、第１行電極と第２行電極の各電極突出部が、第１放電ギャップと第２放電ギャップがそれぞれ放電セルの列方向における中央部分に対向するように配置され、第１放電ギャップに対向する放電セルと第２放電ギャップが対向する放電セルが行方向に沿って互いに列方向にずれた千鳥状に交互に配置されていることによって、各放電セルの列方向における中央部分の行方向の幅を従来よりも大きく設定することが可能になるので、その分、放電ギャップを介して対向する各電極突出部の先端部の行方向の幅を従来よりも大きく設定することが出来、これによって、この電極突出部の行方向の幅が画面の高精細化に伴って小さくなることによる放電電圧の上昇を抑制することが出来る。
【００１４】
上記実施形態のＰＤＰにおいて、隔壁の形状としては、列方向に対して時計回り方向に所要の角度傾斜した第１斜行壁と反時計回り方向に所要の角度傾斜した第２斜行壁が互いに交差する菱クロス状の格子形状が挙げられ、各放電セルの形状としては、この菱クロス格子形状の隔壁によって区画された菱形の他、楕円形や六角形等の列方向における中央部分の行方向の幅が両端部分の行方向の幅よりも大きい種々の多角形状が適用可能である。
【００１５】
さらに、上記実施形態のＰＤＰにおいて、電極突出部の形状としては、略方形形状の他、対になっている他方の電極突出部に対向する先端部側の行方向の幅が電極本体部に接続される脚部側の行方向の幅よりも大きい略台形形状や、行方向に帯状に延びて対になっている他方の電極突出部に対向する幅広の先端部分と、この先端部分を電極本体部に接続し行方向の幅が先端部分の行方向の幅よりも小さい幅狭の脚部とを有する略Ｔ字形状等の種々の形状が適用可能である。
【００１６】
さらに、上記実施形態のＰＤＰにおいて、第１行電極と第２行電極の電極本体部は、行方向に直線状に延びる形状のものの他、それぞれ行方向に沿って波状に蛇行する形状のものも適用可能であり、この行方向に沿って波状に蛇行する第１行電極の電極本体部と第２行電極の電極本体部を、互いの山の部分と谷の部分が対向されて両者の間に列方向の間隔が広い部分と狭い部分が行方向に交互に位置するように配置して、この電極本体部の間隔が広い部分に対向する位置にそれぞれ放電セルを形成することによって、電極突出部のそれぞれの列方向の幅が大きくなり、その分、透明電極の電極面積が広くなって、輝度を向上させることが出来る。
【００１７】
さらに、上記実施形態のＰＤＰにおいて、第１放電ギャップに対向する放電セルと第２放電ギャップに対向する放電セルが、行方向に沿って互いに列方向に略半ピッチずつずれた状態で交互に配置されるようにするのが好ましく、放電セルの配置をこのような構成にすることによって、各放電セルの列方向における中央部分の行方向の幅を、従来の約２倍に設定することが可能になる。
【００１８】
さらに、放電セルの中央部の行方向の幅を広く設定することにより、放電部分の隔壁側面との距離が大きくなるため、荷電粒子などが隔壁側面で消失するのが抑制され、不要なエネルギ消費が低減されるので、発光効率を向上させることが出来る。
【００１９】
さらに、上記実施形態のＰＤＰにおいて、一画素を、第１放電ギャップに対向する放電セルと第２放電ギャップに対向する放電セルのうちの三角状に位置する三つの放電セルによって構成するようにするのが好ましく、これによって、バランスの良い色度の画像の形成が可能になる。
【００２０】
さらに、上記実施形態のＰＤＰにおいて、第１放電ギャップに対向する放電セルと第２放電ギャップに対向する放電セルを、その列方向における両端部が、第１行電極の電極本体部と第２行電極の電極本体部に対して、放電セルに対向しているそれぞれの電極突出部と反対側方向に張り出すようにすることが好ましく、これによって、各放電セルの開口面積を従来のものよりもさらに大きく設定することが出来、画面の輝度を向上させることが出来る。
【００２１】
さらに、上記実施形態のＰＤＰにおいて、一方の基板の内面側に第１行電極および第２行電極を被覆する誘電体層を形成し、この誘電体層の第１行電極と第２行電極の電極本体部にそれぞれ対向する位置に、他方の基板側に突出するとともに電極本体部に沿って行方向に延びる誘電体凸条部を形成するようにするのが好ましい。
【００２２】
この誘電体凸条部によって、第１行電極と第２行電極の電極突出部間で発生される放電が、それぞれの電極本体部を越えて隣接する他の表示ライン内にまで拡がるのが阻止されるので、無用な電流の発生によって消費電力が上昇するのが防止される。
【００２３】
そして、この誘電体凸条部とこの誘電体凸条部に対向する部分の隔壁との間が閉じられているとともに、誘電体凸条部が形成されていない部分の誘電体層と隔壁との間に隙間が形成されるようにすることにより、この隙間によって隣接する放電セル間が連通されて、ＰＤＰの製造時の排気行程における放電空間内からの排気、および、放電ガス封入工程における放電ガスの放電空間内への導入が均等に行われるようになり、さらに、ＰＤＰ駆動時の放電によって発生するプライミング粒子の隙間を介した移動が確保されて、隣接する放電セル間で放電を誘発させるプライミング効果が発揮されることにより、放電の安定化を図ることが出来る。
【００２４】
さらに、上記実施形態のＰＤＰにおいて、誘電体凸条部の放電セルの列方向における端部部分に対向する部分が、それぞれ、列方向において放電セルの中央部側と反対側方向に張り出しているとともに、この誘電体凸条部の張出部分とこの張出部分に対向する部分の隔壁との間が閉じられるようにすることが好ましく、この誘電体凸条部の張出部分によって、隣接する表示ライン間における放電セルの間の連通が遮断されるので、表示ライン間における誤放電の発生を防止することが出来るようになる。
【００２５】
さらに、上記実施形態のＰＤＰにおいて、第１行電極と第２行電極の電極本体部が、光吸収層が前面基板側に配置された二層構造を備えるようにするのが好ましく、これによって、行電極の電極本体部に入射する外光の反射が防止されるようになる。
【実施例】
【００２６】
図１ないし３は、この発明によるＰＤＰの実施形態の一実施例を示しており、図１はこの実施例におけるＰＤＰを模式的に示す正面図、図２は図１のＶ１−Ｖ１線における断面図、図３は図１のＶ２−Ｖ２線における断面図である。
【００２７】
この図１ないし３において、表示面である前面ガラス基板１の背面に、行方向（図１の左右方向）に延びる行電極Ｘ１とＹ１が、列方向（図１の上下方向）に交互にかつ等間隔に位置するように配列されている。
【００２８】
行電極Ｘ１は、行方向に帯状に延びるバス電極Ｘ１ａと、このバス電極Ｘ１ａから列方向の下側に突出する方形の第１透明電極Ｘ１ｂ１および上側に突出する方形の第２透明電極Ｘ１ｂ２とから構成され、この第１透明電極Ｘ１ｂ１と第２透明電極Ｘ１ｂ２が、バス電極Ｘ１ａに沿って交互にかつ等間隔に位置するように配列されている。
【００２９】
バス電極Ｘ１ａは、前面ガラス基板１側に配置された黒色導電層（光吸収層）とこの黒色導電層の背面側に配置された主導電層の二層構造になっている。
【００３０】
同様に、行電極Ｙ１は、行方向に帯状に延びるバス電極Ｙ１ａと、このバス電極Ｙ１ａから列方向の上側に突出する方形の第１透明電極Ｙ１ｂ１および下側に突出する方形の第２透明電極Ｙ１ｂ２とから構成され、この第１透明電極Ｙ１ｂ１と第２透明電極Ｙ１ｂ２が、バス電極Ｙ１ａに沿って交互にかつ等間隔に位置するように配列されている。
【００３１】
バス電極Ｙ１ａは、前面ガラス基板１側に配置された黒色導電層（光吸収層）とこの黒色導電層の背面側に配置された主導電層の二層構造になっている。
【００３２】
この行電極Ｘ１とＹ１は、行電極Ｘ１の第１透明電極Ｘ１ｂ１と行電極Ｙ１の第１透明電極Ｙ１ｂ１が列方向に同列に並び、第２透明電極Ｘ１ｂ２と第２透明電極Ｙ１ｂ２が列方向に同列に並ぶ位置に配置されて、この行電極Ｘ１の第１透明電極Ｘ１ｂ１と行電極Ｙ１の第１透明電極Ｙ１ｂ１が放電ギャップｇ１を介して対向されてそれぞれ対になっており、第２透明電極Ｘ１ｂ２と第２透明電極Ｙ１ｂ２が放電ギャップｇ２を介して対向されてそれぞれ対になっている。
【００３３】
そして、行方向に並ぶ対になった第１透明電極Ｘ１ｂ１と第１透明電極Ｙ１ｂ１の列によって第１表示ラインＬ１が形成され、行方向に並ぶ対になった第２透明電極Ｘ１ｂ２と第２透明電極Ｙ１ｂ２の列によって第２表示ラインＬ２が形成されている。
【００３４】
前面ガラス基板１の背面側には、さらに、誘電体層２が形成されて、この誘電体層２によって、行電極Ｘ１およびＹ１が被覆されている。
【００３５】
この誘電体層２の背面には、行電極Ｘ１，Ｙ１のバス電極Ｘ１ａ，Ｙ１ａに対向する位置に、それぞれ、バス電極Ｘ１ａ，Ｙ１ａに沿って行方向に延びるとともに誘電体層２の背面から前面ガラス基板１と反対側方向に突出する誘電体凸条部３が形成されている。
【００３６】
この誘電体凸条部３の列方向の幅は、バス電極Ｘ１ａ，Ｙ１ａのそれぞれの列方向の幅よりも僅かに大きいかほぼ等しい寸法となるように設定されている。
【００３７】
この誘電体層２および誘電体凸条部３は、その背面側に形成されたＭｇＯからなる図示しない保護層によって被覆されている。
【００３８】
前面ガラス基板１と所要の間隔を空けて平行に対向された背面ガラス基板４の表示側の面上には、それぞれ、第１透明電極Ｘ１ｂ１と第１透明電極Ｙ１ｂ１に対向する位置、および、第２透明電極Ｘ１ｂ２と第２透明電極Ｙ１ｂ２に対向する位置に、それぞれ列方向に帯状に延びる列電極Ｄが形成されて、行方向に等間隔に並設されている。
【００３９】
この背面ガラス基板４の面上には、さらに、列電極保護層（誘電体層）５が形成されて、この列電極保護層５によって列電極Ｄが被覆されている。
【００４０】
この列電極保護層５上には、下記に詳述するような形状の隔壁６が形成されて、前面ガラス基板１と背面ガラス基板４の間に形成される放電空間が、それぞれ、対になっている第１透明電極Ｘ１ｂ１と第１透明電極Ｙ１ｂ１に対向する放電セルＣ１と、対になっている第２透明電極Ｘ１ｂ２と第２透明電極Ｙ１ｂ２に対向する放電セルＣ２とに区画されている。
【００４１】
すなわち、この隔壁６は、図１において、列方向に対して時計回り方向に所要の角度（図示の例では３３．７°）傾斜した第１斜行壁６Ａと、反時計回り方向に所要の角度（図示の例では３３．７°）傾斜した第２斜行壁６Ｂとを有し、この第１斜行壁６Ａと第２斜行壁６Ｂが互いに交差した菱クロス状の格子形状に成形されている。
【００４２】
放電セルＣ１とＣ２は、この菱クロス格子形状の隔壁６によって区画されることによって、前面ガラス基板１側から見た形状が、それぞれ、菱形になっている。
【００４３】
そして、この菱形の放電セルＣ１は、その行方向の対角線（すなわち、放電セルＣ１の行方向の幅が最も大きい部分）が第１透明電極Ｘ１ｂ１と第１透明電極Ｙ１ｂ１の間の放電ギャップｇ１に対向する位置に位置されており、さらに、列方向の対角線の長さが、隣接するバス電極Ｘ１ａとＹ１ａの間の間隔およびバス電極Ｘ１ａとＹ１ａの列方向の幅の合計の長さよりも長くなっていて、列方向の対角線の両端の角部分が、バス電極Ｘ１ａ，Ｙ１ａから放電ギャップｇ１側と反対側にそれぞれ張り出している。
【００４４】
同様に、菱形の放電セルＣ２は、その行方向の対角線（すなわち、放電セルＣ２の行方向の幅が最も大きい部分）が第２透明電極Ｘ１ｂ２と第２透明電極Ｙ１ｂ２の間の放電ギャップｇ２に対向する位置に位置されており、さらに、列方向の対角線の長さが、隣接するバス電極Ｘ１ａとＹ１ａの間の間隔およびバス電極Ｘ１ａとＹ１ａの列方向の幅の合計の長さよりも長くなっていて、列方向の対角線の両端の角部分が、バス電極Ｘ１ａ，Ｙ１ａから放電ギャップｇ２側と反対側にそれぞれ張り出している。
【００４５】
そして、この隔壁６は、その第１斜行壁６Ａと第２斜行壁６Ｂの一部が前面ガラス基板１の背面側に形成された誘電体凸条部３と保護層を介して当接されているが、第１斜行壁６Ａと第２斜行壁６Ｂの保護層を介して誘電体凸条部３に当接されていない他の部分と誘電体層２との間には隙間ｒが形成されて、この隙間ｒを介して隣接する放電セル間（放電セルＣ１同士，放電セルＣ２同士，放電セルＣ１とＣ２）が連通されている。
【００４６】
各放電セルＣ１，Ｃ２内には、列電極保護層５の表面と第１斜行壁６Ａおよび第２斜行壁６Ｂの側面の五つの面を覆うように、赤，緑，青の蛍光体層７が、放電セル毎に色分けされて形成されている。
【００４７】
そして、この蛍光体層７によって赤，緑，青に色分けされた放電セルＣ１，Ｃ２は、赤，緑，青の三原色が隣接する第１表示ラインＬ１と第２表示ラインＬ２に跨って三角状に位置するように配置されていて、この三角状に位置する赤，緑，青の三個の放電セルＣ１，Ｃ２によって、それぞれ一画素（例えば、図１に示されるように、赤の放電セルＣ１（Ｒ）と緑の放電セルＣ２（Ｇ），青の放電セルＣ１（Ｂ）による画素ｐ１、および、緑の放電セルＣ１（Ｇ）と赤の放電セルＣ２（Ｒ），青の放電セルＣ２（Ｂ）による画素ｐ２等）が構成されている。
【００４８】
前面ガラス基板１と背面ガラス基板４の間の放電空間内には、キセノンを含む放電ガスが封入されている。
【００４９】
このＰＤＰの駆動は、リセット放電期間におけるリセット放電の終了後、次のアドレス放電期間において、行電極Ｙ１の第１透明電極Ｙ１ｂ１，第２透明電極Ｙ１ｂ２と列電極Ｄとの間で選択的にアドレス放電が発生されて、各放電セルＣ１,Ｃ２に対向する部分の誘電体層２に壁電荷が形成された放電セル（発光セル）と壁電荷が形成されなかった放電セル（非発光セル）とが、映像信号の画像データに対応してパネル面に分布される。
【００５０】
そして、このアドレス放電の終了後、次のサステイン放電期間において、行電極Ｘ１とＹ１に交互にサステイン・パルスが印加されることによって、各発光セル内において、第１透明電極Ｘ１ｂ１と第１透明電極Ｙ１ｂ１間の放電ギャップｇ１を介して、または、第２透明電極Ｘ１ｂ２と第２透明電極Ｙ１ｂ２間の放電ギャップｇ２を介して、それぞれサステイン放電が発生される。
【００５１】
この発光セル内において発生されるサステイン放電によって、放電ガス中のキセノンから真空紫外線が発生され、この真空紫外線によって各発光セルの赤，青，緑の蛍光体層７が励起されて可視光が発生されることにより、マトリクス表示による画像が形成される。
【００５２】
上記ＰＤＰは、前面ガラス基板１と背面ガラス基板４の間の放電空間が、菱クロス格子形状の隔壁６によって菱形の放電セルＣ１とＣ２に区画され、前面ガラス基板１側から見た状態で、第１表示ラインＬ１の放電セルＣ１と第２表示ラインＬ２の放電セルＣ２が、行電極Ｘ１のバス電極Ｘ１ａまたは行電極Ｙ１のバス電極Ｙ１ａを挟んで行方向に千鳥状に交互に配置されており、隣接する二つの表示ライン（Ｌ１またはＬ２）に跨って三角状に位置する三個の放電セル（Ｃ１とＣ２）によって一画素が構成されるようになっているので、各放電セルＣ１，Ｃ２の列方向における中央部分の幅が従来の放電セルよりも大きく、例えば、約二倍の大きさに設定されており、さらに、この放電セルＣ１，Ｃ２の列方向の両端部が、それぞれ、隣接する第１表示ラインＬ１と第２表示ラインＬ２間で共用されているバス電極Ｘ１ａ，Ｙ１ａを超えて他の表示ライン側に張り出すように形成されていることによって、各放電セルＣ１，Ｃ２の前面ガラス基板１側から見た開口面積がそれぞれ従来のＰＤＰよりも大きく設定されている。
【００５３】
従って、上記ＰＤＰは、画面の高精細化によって画素数が増加される場合でも、各放電セルＣ１，Ｃ２の開口面積の減少が抑制され、これによって、この画面の高精細化に伴う輝度低下と、行方向に隣接する放電セル間での放電干渉の発生を抑制することが出来る。
【００５４】
さらに、上記ＰＤＰは、菱形の放電セルＣ１の行方向の幅が一番大きい列方向における中央部分が行電極Ｘ１の透明電極Ｘ１ｂ１と行電極Ｙ１の透明電極Ｙ１ｂ１の間の放電ギャップｇ１に対向され、菱形の放電セルＣ２の行方向の幅が一番大きい列方向における中央部分が透明電極Ｘ１ｂ２と透明電極Ｙ１ｂ２の間の放電ギャップｇ２に対向されることによって、透明電極Ｘ１ｂ１，Ｘ１ｂ２，Ｙ１ｂ１，Ｙ１ｂ２のそれぞれの行方向の幅ｗ１を従来のＰＤＰと比べて大きな寸法に設定することが出来、これによって、放電ギャップを介して放電を発生させる透明電極の行方向の幅が画面の高精細化に伴って小さくなることによる放電電圧の上昇を抑制することが出来る。
【００５５】
さらに、上記ＰＤＰは、行電極Ｘ１，Ｙ１のバス電極Ｘ１ａ，Ｙ１ａに対向する部分に誘電体層２の背面から背面ガラス基板４側に突出して行方向に延びる誘電体凸条部３が形成されており、隔壁６の第１斜行壁６Ａと第２斜行壁６Ｂの保護層を介して誘電体凸条部３に当接されていない部分と誘電体層２を被覆する保護層との間に隙間ｒが形成されて、この隙間ｒによって隣接する放電セル間が連通されていることにより、ＰＤＰの製造時の排気行程における放電空間内からの排気、および、放電ガス封入工程における放電ガスの放電空間内への導入が均等に行われるようになり、さらに、ＰＤＰ駆動時の放電によって発生するプライミング粒子の隙間ｒを介した移動が確保されて、隣接する放電セル間で放電を誘発させるプライミング効果が発揮されることにより、放電の安定化を図ることが出来る。
【００５６】
さらに、上記ＰＤＰは、行電極Ｘ１，Ｙ１の透明電極Ｘ１ｂ１，Ｙ１ｂ１間または透明電極Ｘ１ｂ２，Ｙ１ｂ２間で発生されるサステイン放電が、誘電体凸条部３によって、バス電極Ｘ１ａおよびＹ１ａを越えて隣接する他の表示ライン内にまで拡がるのが阻止されるので、無用な電流の発生によって消費電力が上昇するのが防止される。
【００５７】
図４および５は、行電極の透明電極の形状の他の例を示しており、上述した例においては、透明電極Ｘ１ｂ１，Ｙ１ｂ１，Ｘ１ｂ２，Ｙ１ｂ２がそれぞれ方形の形状を備えていたのに対し、図４の例は、行電極Ｘ２，Ｙ２の透明電極Ｘ２ｂ，Ｙ２ｂの互いに放電ギャップｇ３を介して対向する先端部分の行方向の幅ｗ２がバス電極Ｘ２ａ，Ｙ２ａに接続された基端部分の行方向の幅ｗ３よりも大きい台形形状に成形されている場合を示している。
【００５８】
また、図５の例は、行電極Ｘ３，Ｙ３の透明電極Ｘ３ｂ，Ｙ３ｂが、放電ギャップｇ４を介して互いに対向する行方向に帯状に延びる幅広の先端部分と、この幅広の先端部分とバス電極Ｘ３ａ，Ｙ３ａとを接続する幅狭の脚部分とによって、略Ｔ字形状に成形されている場合を示している。
【００５９】
この図４および５の例では、何れも、行電極Ｘ２，Ｙ２，Ｘ３，Ｙ３の放電ギャップｇ３，ｇ４に対向される透明電極Ｘ２ｂ，Ｙ２ｂ，Ｘ３ｂ，Ｙ３ｂの先端部の幅を、前面ガラス基板側から見た状態で透明電極Ｘ２ｂ，Ｙ２ｂ，Ｘ３ｂ，Ｙ３ｂと隔壁６が重なり合わない状態で、対向する放電セルＣ１（Ｃ２）の行方向の幅が最大となる列方向における中央部分の幅一杯に設定することが出来るので、透明電極と隔壁６が重なり合うことによる無効電力の発生を防止することが出来るとともに、透明電極の行方向の幅が小さくなることによる放電電圧の上昇を抑制することが出来る。
【００６０】
さらに、図４のように透明電極Ｘ２ｂ，Ｙ２ｂが台形形状に成形されることによって、その電極面積が増大されるので、これによって放電による発光効率を上昇させることが出来、また、図５のように透明電極Ｘ３ｂ，Ｙ３ｂがＴ字形状に成形されることによって、バス電極Ｘ３ａ，Ｙ３ａ側への放電の広がりがさらに抑制されて、無用な電流の発生による消費電力の上昇を防止することが出来る。
【００６１】
図６は、行電極のバス電極の形状の他の例を示している。
【００６２】
すなわち、この図６において、行電極Ｘ４，Ｙ４のバス電極Ｘ４ａ，Ｙ４ａは、それぞれ、行方向に沿って波状に蛇行ずる形状に成形されて、前面ガラス基板側から見た状態で、互いの山の部分と谷の部分とが対向されて、互いの間に、列方向の間隔が広い部分と狭い部分とが行方向に交互に位置するように配置されている。
【００６３】
誘電体凸条部１３も、バス電極Ｘ４ａ，Ｙ４ａにそれぞれ対向する位置において、このバス電極Ｘ４ａ，Ｙ４ａと同様に行方向に沿って波状に蛇行ずる形状に成形されている。
【００６４】
放電セルＣ１，Ｃ２は、それぞれ、バス電極Ｘ４ａとＹ４ａの間の互いの間の間隔が広い部分に対向する位置に形成されている。
【００６５】
この図６の例によれば、放電セルＣ３，Ｃ４に形成される透明電極Ｘ４ｂ１，Ｘ４ｂ２，Ｙ４ｂ１，Ｙ４ｂ２のそれぞれの列方向の幅が大きくなって、その分、透明電極の電極面積が広くなるので、放電による発光効率を向上させることが出来るようになる。
【００６６】
図７は、誘電体凸条部の形状の他の例を示している。
【００６７】
すなわち、この図７において、行電極Ｘ１，Ｙ１のバス電極Ｘ１ａ，Ｙ１ａに対向する位置をこのバス電極Ｘ１ａ，Ｙ１ａに沿って行方向に延びる誘電体凸条部２３は、放電セルＣ１，Ｃ２の列方向における端部部分に対向するそれぞれの部分２３ａが放電セルＣ１，Ｃ２の中央部分と反対側方向に張り出して、前面ガラス基板側から見た状態で、放電セルＣ１，Ｃ２の隣接する表示ライン側に張り出している端部部分が、誘電体凸条部２３の張出部分２３ａによってカバーされた状態になっている。
【００６８】
従って、この図７の例によれば、誘電体凸条部２３が隔壁６に当接されることにより、この誘電体凸条部２３の張出部分２３ａによって、隣接する第１表示ラインＬ１と第２表示ラインＬ２間における放電セルＣ１とＣ２の間の連通が遮断されるので、第１表示ラインＬ１と第２表示ラインＬ２間における誤放電の発生が防止される。
【００６９】
なお、上記の各例においては、何れも、放電セルが隔壁によって菱形に区画される場合について説明を行ったが、隔壁によって区画される放電セルの形状は、列方向における中央部分の行方向の幅が最大となるような形状であれば良く、例えば楕円形状や六角形状、さらにはそれ以上の画数を有する多角形状であっても良い。
【００７０】
上記実施例のＰＤＰは、放電空間を介して前面基板と背面基板が対向され、前面基板の内面側に第１行電極と第２行電極が列方向に交互に配置され、この第１行電極と第２行電極が、それぞれ、行方向に延びる電極本体部とこの電極本体部の行方向に沿って等間隔位置から列方向の一方の側と他方の側に交互に突出する複数の電極突出部を備えていて、第１行電極の電極本体部から一方の側に突出する電極突出部と第２行電極の電極本体部から他方の側に突出する電極突出部とがそれぞれ第１放電ギャップを介して対向して対になっており、第１行電極の電極本体部から他方の側に突出する電極突出部と第２行電極の電極本体部から一方の側に突出する電極突出部とがそれぞれ第２放電ギャップを介して対向して対になっており、放電セルが、第１放電ギャップを介して対向する一対の電極突出部に対向する部分の放電空間と第２放電ギャップを介して対向する一対の電極突出部に対向する部分の放電空間にそれぞれ形成されて、この第１放電ギャップに対向する放電セルと第２放電ギャップに対向する放電セルが行方向に沿って互いに列方向にずれた状態で交互に配置され、前面基板と背面基板内に配置された隔壁が、各放電セルを列方向における中央部分の行方向の幅が両端部分の行方向の幅よりも大きい形状に区画する略格子状の形状を有し、第１放電ギャップと第２放電ギャップが、それぞれ、放電セルの列方向における中央部分に対向されている実施形態のＰＤＰを、その上位概念の実施形態としている。
【００７１】
この上位概念を構成する実施形態のＰＤＰによれば、各放電セルが、隔壁によって、列方向における中央部分の行方向の幅が両端部分の行方向の幅よりも大きい形状に区画され、第１行電極と第２行電極の各電極突出部が、第１放電ギャップと第２放電ギャップがそれぞれ放電セルの列方向における中央部分に対向するように配置され、第１放電ギャップに対向する放電セルと第２放電ギャップが対向する放電セルが行方向に沿って互いに列方向にずれた千鳥状に交互に配置されていることによって、各放電セルの列方向における中央部分の幅を従来よりも大きく設定することが可能になって、その分、放電ギャップを介して対向する各電極突出部の先端部の行方向の幅を従来よりも大きく設定することが出来るので、この電極突出部の行方向の幅が画面の高精細化に伴って小さくなることによる放電電圧の上昇を抑制することが出来る。
【００７２】
さらに、各放電セルの開口面積がそれぞれ従来よりも大きく設定されるので、画面の高精細化によって画素数が増加される場合でも、この放電セルの開口面積の減少が抑制されて、画面の高精細化に伴う輝度低下と行方向に隣接する放電セル間での放電干渉の発生を抑制することが出来る。
【図面の簡単な説明】
【００７３】
【図１】この発明の実施形態の一実施例を示す正面図である。
【図２】図１のＶ１−Ｖ１線における断面図である。
【図３】図１のＶ２−Ｖ２線における断面図である。
【図４】この発明の実施形態の変形例を示す正面図である。
【図５】この発明の実施形態の他の変形例を示す正面図である。
【図６】この発明の実施形態のさらに他の変形例を示す正面図である。
【図７】この発明の実施形態のさらに他の変形例を示す正面図である。
【符号の説明】
【００７４】
１              …前面ガラス基板（一方の基板）
２              …誘電体層
３，１３、２３  …誘電体凸条部
４              …背面ガラス基板（他方の基板）
６              …隔壁
６Ａ            …第１斜行壁
６Ｂ            …第２斜行壁
７              …蛍光体層
２３ａ          …張出部分
Ｃ１            …放電セル（単位発光領域）
Ｃ２            …放電セル（単位発光領域）
Ｄ              …列電極
Ｌ１            …第１表示ライン
Ｌ２            …第２表示ライン
Ｘ１，Ｘ２，Ｘ３，Ｘ４  …行電極（第１行電極）
Ｙ１，Ｙ２，Ｙ３，Ｙ４  …行電極（第２行電極）
Ｘ１ａ，Ｙ１ａ，Ｘ２ａ，Ｙ２ａ，Ｘ３ａ，Ｙ３ａ，Ｘ４ａ，Ｙ４ａ
…バス電極（電極本体部）
Ｘ１ｂ１，Ｘ１ｂ２，Ｙ１ｂ１，Ｙ１ｂ２，Ｘ２ｂ，Ｙ２ｂ，Ｘ３ｂ，Ｙ３ｂ，Ｘ４ｂ１，Ｘ４ｂ２，Ｙ４ｂ１，Ｙ４ｂ２
…透明電極（電極突出部）
ｇ１            …放電ギャップ（第１放電ギャップ）
ｇ２            …放電ギャップ（第２放電ギャップ）
ｇ３，ｇ４      …放電ギャップ
ｐ１，ｐ２      …画素
ｒ              …隙間
【図１】
2008147131.tif 000003
【図２】
2008147131.tif 000004
【図３】
2008147131.tif 000005
【図４】
2008147131.tif 000006
【図５】
2008147131.tif 000007
【図６】
2008147131.tif 000008
【図７】
2008147131.tif 000009